(57)【要約】【課題】無影灯に手を触れることなく、該無影灯を患者の口腔位置に対して所望の位置に自動的に追従させ、かつ、自動的に点灯し、或いは、消灯可能とし、もって、無影灯の衛生的な取り扱い操作を可能とした。【解決手段】無影灯５は、患者の口腔内を照明するもので、該無影灯５の表面には温度センサ（患者の口腔内の温度を検知する）１１，金属センサ（術者が歯科治療している時のインスツルメントを検知する）１２，距離センサ（患者の顔面までの距離を検知する）１３等を設け、これらの検出信号によって無影灯５を患者の口腔近傍に自動的に移動させ、かつ、点灯させる。【選択図】図１
2007130395.tif 000002
【特許請求の範囲】
【請求項１】
患者の口腔内を照明するための歯科用無影灯において、該無影灯の表面に温度センサを有し、該温度センサによって患者の口腔内温度を検出し、検出された温度が所定値以上の時、無影灯を点灯するようにしたことを特徴とする歯科用無影灯。
【請求項２】
無影灯の表面に距離センサを有し、該距離センサによって患者の口腔部までの距離を検出し、検出された距離が所定距離以下になった時に、無影灯を点灯するようにしたことを特徴とする歯科用無影灯。
【請求項３】
無影灯の表面に金属センサを有し、該金属センサによって口腔内のインスツルメントを検出した時に、無影灯を点灯するようにしたことを特徴とする歯科用無影灯。
【請求項４】
無影灯の表面に患者の口腔内の温度を検出する温度センサと、患者の口腔内インスツルメントを検出する金属センサとを有し、これらセンサの両出力の論理積により、無影灯を点灯するようにしたことを特徴とする歯科用無影灯。
【請求項５】
無影灯の表面に患者の口腔までの距離を検出する距離センサを有し、無影灯が所定距離まで患者に近付いた時に、無影灯を点灯するようにしたことを特徴とする請求項４に記載の歯科用無影灯。
【発明の詳細な説明】
【技術分野】
【０００１】
本発明は、歯科用の無影灯に関し、より詳細には、無影灯を患者の口腔に自動的に追従させ、かつ、自動的に点灯するようにし、術者の負担をできるだけ少なくし、また、術者ができるだけ無影灯に触れることのないようにして、より、衛生的に歯科治療ができるようにしたものである。
【背景技術】
【０００２】
図２は、本発明による歯科用無影灯が適用された装置の一例としての歯科治療ユニットの概略構成を示す図で、図中、１は治療椅子、２はワークテーブル、３はインスツルメントホルダ、４はインスツルメント、５は無影灯、６は無影灯用アームで、周知のように、歯科治療においては、患者の腔口内を照明するために、無影灯５を使用する。
【０００３】
この無影灯５は、アーム６により支持され任意所望の位置へ移動可能となっており、歯科治療に当って、腔口内を照明する時は、把手７をもって、無影灯５を患者の顔面近くまで移動させるとともに、操作スイッチ等を押して該無影灯５を点灯させ、非使用時は、患者から離した位置にするとともに消灯しておく。
【０００４】
この無影灯５を移動させるには把手７をもって手動にて移動させ、消灯するには、一般的には、無影灯５の近傍に設けられているスイッチを手動操作するようにしている。そのため、把手やスイッチが汚れ、特に、施術前に、この汚れた把手やスイッチを手動操作すると、術者の手が汚れ、この汚れた手で施術することになり、非常に不衛生である。
【０００５】
而して、歯科治療等、医療施術においては、衛生上の観点から、術者等の手が触れる箇所を出来るだけ清潔に保つ必要があり、一般的には、把手部やスイッチ部を時々消毒等していた。しかし、実際には、その消毒作業を頻繁に行わなければならず、その作業が面倒であるばかりでなく、必ずしも、常に完全に滅菌されているとは限らないという問題があった。
【発明の開示】
【発明が解決しようとする課題】
【０００６】
本発明は、上述のごとき実情に鑑みてなされたもので、無影灯に手を触れることなく、該無影灯を患者の口腔位置に対して所望の位置に自動的に追従させ、かつ、自動的に点灯し、或いは消灯可能とし、もって、無影灯の衛生的な取り扱いを可能としたものである。
【課題を解決するための手段】
【０００７】
請求項１の発明は、患者の口腔内を照明するための歯科用無影灯において、該無影灯の表面に温度センサを有し、該温度センサによって患者の口腔内温度を検出し、検出された温度が所定値以上の時、無影灯を点灯するようにしたことを特徴としたものである。
【０００８】
請求項２の発明は、無影灯の表面に距離センサを有し、該距離センサによって患者の口腔部までの距離を検出し、検出された距離が所定距離以下になった時に、無影灯を点灯するようにしたことを特徴としたものである。
【０００９】
請求項３の発明は、無影灯の表面に金属センサを有し、該金属センサによって口腔内のインスツルメントを検出した時に、無影灯を点灯するようにしたことを特徴としたものである。
【００１０】
請求項４の発明は、無影灯の表面に患者の口腔内の温度を検出する温度センサと、患者の口腔内インスツルメントを検出する金属センサとを有し、これらセンサの両出力の論理積により、無影灯を点灯するようにしたことを特徴としたものである。
【００１１】
請求項５の発明は、請求項４の発明において、無影灯の表面に患者の口腔までの距離を検出する距離センサを有し、無影灯が所定距離まで患者に近付いた時に、無影灯を点灯するようにしたことを特徴としたものである。
【発明の効果】
【００１２】
本発明は、上述のごとき実情に鑑みてなされたもので、無影灯に手を触れることなく、該無影灯を患者の口腔位置に対して所望の位置に自動的に追従させ、かつ、自動的に点灯し、或いは、消灯可能としたので、無影灯の衛生的な取り扱い操作が可能となった。
【発明を実施するための最良の形態】
【００１３】
図１は、本発明による無影灯の一実施例を説明するための概略構成図で、図中、４はインスツルメント、５は無影灯、６は無影灯用アーム、７は無影灯５の把手で、従来、無影灯５は、術者がこの把手７を手にもって、無影灯を所望の箇所（患者の口腔の前）へ移動し、図示しないスイッチをオン・オフして点灯・消灯を行っていた。
【００１４】
本発明は、上述のごとき手動による移動、点灯・消灯をできるだけ自動的に行うようにしたもので、そのため、無影灯５の表面には、温度センサ１１、金属センサ１２、距離センサの少なくとも１つが設けられており、これによって無影灯５が患者の口腔の動きに自動的に追従したり、自動的に点灯したり、消灯したりするようになっている。
【００１５】
温度センサ１１は、患者の顔部が周囲のほかの部分より温度が高いことを検知して無影灯５を、その温度の高い方に向け、無影灯５を点灯する。金属センサ１２は、口腔内に金属があることを検知して、つまり、術者がインスツルメント（ハンドピース）を用いて歯科治療を行っていることを検知し、無影灯５を点灯する。この場合、温度センサ１１による無影灯５の点灯と、金属センサ１２による無影灯５の点灯とは独立（並列）に行われ、一方のセンサによって既に点灯されている時は、他方のセンサによって点灯状態が変わることはない。例えば、歯科治療中に、口腔内からインスツルメントを取り出し、金属センサ１２がインスツルメントを検出しなくなったとしても、それによって、無影灯５が消灯されるようなことはない。
【００１６】
しかし、一方で、歯科治療をしていない時、例えば、最初に患者が治療椅子に座って、歯科治療が始まるのを待っている時、或いは、歯科治療の途中で、術者が席を離れたような場合、無影灯５を点灯しておくことは電気エネルギーの無駄使いとなり、患者にとっても、眩しく不快である。このようなことを避けるためには、温度センサ１１と金属センサ１２が共に作動している時、つまり、温度センサ１１によって患者の顔部が検出され、金属センサ１２によってインスツルメントが検出されている時（両センサの出力の論理積が成り立つ時）に、無影灯が点灯され、いずれか一方のみの時は点灯されないようにすればよい。
【００１７】
更には、無影灯５が患者からあまり離れていたのでは、患者の口腔内を十分に照明することができない。距離センサ１３は、そのためのもので、該距離センサ（超音波センサ、赤外線センサ等）１３によって、患者の顔部までの距離を検知し、その距離が予め設定されている所定距離になるまで、無影灯５を患者に自動的に近付け、所定距離になったところで、点灯するようにしてもよい。この距離センサ１３による無影灯の点灯・消灯も、前記温度センサ１１による点灯・消灯、金属センサによる点灯・消灯と独立に行うようにしてもよく、或いは、これらの出力を組み合わせて点灯・消灯するようにしてもよい。例えば、金属センサ１２によるインスツルメントの検出が無い時は、無影灯５を患者から自動的に遠ざけ、同時に、消灯するようにすることも可能である。
【００１８】
上述のように、本発明によると、歯科用無影灯の前面に、温度センサ、金属センサ、距離センサ等を設けておき、これらの出力信号によって、無影灯を所望の治療位置に自動的に移動し、更には、無影灯の点灯・消灯を自動的に行うようにしたので、術者が無影灯に触れる機会が減り、術者の労力を軽減できるばかりでなく、術者の手が清潔に保たれ、より、衛生的な歯科治療を行うことができる。
【図面の簡単な説明】
【００１９】
【図１】本発明による無影灯を説明するための図である。
【図２】本発明が適用される無影灯を備えた歯科治療ユニットの例を説明するための図である。
【符号の説明】
【００２０】
４…インスツルメント（金属）、５…無影灯、６…無影灯用アーム、７…無影灯の把手、１１…温度センサ、１２…金属（インスツルメント）センサ、１３…距離センサ。
【図１】
2007130395.tif 000003
【図２】
2007130395.tif 000004